(57)【要約】【課題】  様々な形状の携帯電話機に使用可能で、携帯電話機の破損を招くことなく、充電しながら携帯電話機を使用可能な携帯電話機用クレイドルを提供する。【解決手段】  携帯電話機用クレイドル１０は、電力を発生する燃料電池１４と、携帯電話機及び燃料電池１４と電気的に接続され、携帯電話機に電力を供給する接続部２０とを有するクレイドル本体１１と、携帯電話機を保持する携帯電話機保持部１２から構成され、携帯電話機保持部１２は、その内面１２Ａが携帯電話機の形状に対応すると共に、クレイドル本体１１に対して着脱可能な構成とする。【選択図】  図７
2006303994.tif 000002
【特許請求の範囲】
【請求項１】
携帯電話機に装着して、該携帯電話機に電力を供給する携帯電話機用クレイドルであって、
電力を発生する電力源と、前記携帯電話機及び電力源の各々と電気的に接続され、電力源から携帯電話機に電力を供給する接続部とを有するクレイドル本体と、
前記携帯電話機を保持する携帯電話機保持部とを備え、
前記携帯電話機保持部は、携帯電話機の形状に対応する形状を有し、かつクレイドル本体に対して着脱可能であることを特徴とする携帯電話機用クレイドル。
【請求項２】
携帯電話機に装着して、該携帯電話機に電力を供給する携帯電話機用クレイドルであって、
電力を発生する電力源を有するクレイドル本体と、
前記携帯電話機を保持すると共に、携帯電話機及び電力源の各々と電気的に接続され、電力源から携帯電話機に電力を供給する接続部を有する携帯電話機保持部とを備え、
前記携帯電話機保持部は、携帯電話機の形状に対応する形状を有し、クレイドル本体に対して着脱可能であることを特徴とする携帯電話機用クレイドル。
【請求項３】
前記携帯電話機保持部は、前記携帯電話機の操作面とは反対側の面と、携帯電話機の側面とを覆うことを特徴とする請求項１または２記載の携帯電話機用クレイドル。
【請求項４】
前記接続部と対向する携帯電話機保持部に携帯電話機を係止する携帯電話機係止手段を設けることを特徴とする請求項１〜３のうち、いずれか一項記載の携帯電話機用クレイドル。
【請求項５】
前記電力源は、ダイレクトメタノール型の燃料電池であることを特徴とする請求項１〜４のうち、いずれか一項記載の携帯電話機用クレイドル。
【発明の詳細な説明】
【技術分野】
【０００１】
携帯電話機に電力を供給する携帯電話機用クレイドルに関し、特に通話時やキー操作時に携帯電話機に装着して電力を供給する携帯電話機用クレイドルに関する。
【背景技術】
【０００２】
近年の携帯電話機の高機能化は目覚しく、携帯電話機によるＴＶの視聴や、従来、専用機が必要とされたゲームの遊戯が可能になるなど、様々な機能が実用化されつつある。また、携帯電話機の多機能化により、携帯電話機の使用機会は増加している。
【０００３】
このような携帯電話機の多機能化や使用機会の増加に伴って、携帯電話機の消費電力量は増加し、ユーザは外出先で電力を充電する必要に迫られることが多くなってきている。外出先で携帯電話機に電力を充電する手段として、図１に示すような充電器がある。
【０００４】
図１は、従来の充電器の断面図である。図１を参照するに、充電器１００は、充電ベース部１０１と、充電ベース部１０１と接続される電源供給手段１０３と、充電コネクタ１０２から構成されている。充電器１００は、充電コネクタ１０２を携帯電話機１０５のコネクタ（図示せず）に接続して、携帯電話機１０５の充電を行なう（例えば、特許文献１参照）。なお、電源供給手段１０３としては乾電池が用いられる。
【特許文献１】特開２００３−３２９０３号公報
【特許文献２】特開２００４−１５９４０９号公報
【特許文献３】実開平５−８８１４９号公報
【発明の開示】
【発明が解決しようとする課題】
【０００５】
しかしながら、充電器１００は、様々な形状の携帯電話機１０５に対して汎用性を持たせるために、携帯電話機１０５のコネクタ部分とだけ機械的に接続している。このため、充電器１００を接続した状態で携帯電話機１０５や充電器１００に衝撃が加わると携帯電話機１０５と充電器１００の接続部分が破損しやすいという問題がある。特に、携帯電話機１０５を充電器１００に接続したまま通話したりキー操作をする際は、注意が散漫となるため、上記問題が特に生じ易い。
【０００６】
そこで、本発明は上記問題点に鑑みてなされたもので、本発明の目的は、様々な形状の携帯電話機に使用可能で、携帯電話機の破損を招くことなく、充電しながら携帯電話機を使用可能な携帯電話機用クレイドルを提供することである。
【課題を解決するための手段】
【０００７】
本発明の一観点によれば、携帯電話機に装着して、該携帯電話機に電力を供給する携帯電話機用クレイドルであって、電力を発生する電力源と、前記携帯電話機及び電力源と電気的に接続され、携帯電話機に電力を供給する接続部とを有するクレイドル本体と、前記携帯電話機を保持する携帯電話機保持部とを備え、前記携帯電話機保持部は、携帯電話機の形状に対応する形状を有し、かつクレイドル本体に対して着脱可能であることを特徴とする携帯電話機用クレイドルが提供される。
【０００８】
本発明によれば、携帯電話機の形状に対応する携帯電話機保持器で携帯電話機を保持することにより、携帯電話機の破損を防止可能な携帯電話機用クレイドルが実現できる。また、携帯電話機保持器はクレイドル本体に対して着脱可能であるため、携帯電話機保持器を他の携帯電話機の形状に対応する携帯電話機保持器と交換することで、様々な形状の携帯電話機に使用することができる。
【０００９】
本発明の他の観点によれば、携帯電話機に装着して、該携帯電話機に電力を供給する携帯電話機用クレイドルであって、電力を発生する電力源を有するクレイドル本体と、前記携帯電話機を保持すると共に、携帯電話機及び電力源と電気的に接続され、携帯電話機に電力を供給する接続部を有する携帯電話機保持部とを備え、前記携帯電話機保持部は、携帯電話機の形状に対応する形状を有し、クレイドル本体に対して着脱可能であることを特徴とする携帯電話機用クレイドルが提供される。
【００１０】
本発明によれば、携帯電話機の形状に対応する携帯電話機保持器で携帯電話機を保持することにより、携帯電話機の破損を防止可能な携帯電話機用クレイドルが実現できる。また、携帯電話機保持器はクレイドル本体に対して着脱可能であるため、携帯電話機保持器を他の携帯電話機の形状に対応する携帯電話機保持器と交換することで、様々な形状の携帯電話機に使用することができる。さらに、携帯電話機保持部に接続部を設けることにより、接続部の形状を携帯電話機毎に対応するように変更することが可能となり、接続部と携帯電話機との間の接続信頼性を向上させることができる。
【発明の効果】
【００１１】
本発明によれば、様々な形状の携帯電話機に使用可能で、携帯電話機の破損を招くことなく、充電しながら携帯電話機を使用可能な携帯電話機用クレイドルを実現することができる。
【発明を実施するための最良の形態】
【００１２】
（第１の実施の形態）
図２は、本発明の第１の実施の形態に係る携帯電話機用クレイドルに携帯電話機を装着した様子を示す斜視図である。本実施の形態では、折り畳み式の携帯電話機５０を携帯電話機用クレイドル１０に装着する場合を例に挙げて説明する。
【００１３】
図２を参照するに、本実施の形態に係る携帯電話機用クレイドル１０は、携帯電話機５０を通話及びキー操作が可能な状態で保持しており、この状態で携帯電話機用クレイドル１０から携帯電話機５０に電力が供給される。携帯電話機用クレイドル１０は、クレイドル本体１１と、携帯電話機保持部１２とよりなり、携帯電話機保持部１２は、操作キー５４が設けられていない側の携帯電話機本体部５１の面、及び携帯電話機本体部５１の側面と接触するように携帯電話機５０を保持している。例えば、通話の際は、クレイドル本体１１を把持することで通話できる。
【００１４】
図３は、携帯電話機の斜視図であり、図４は、折り畳んだ状態の携帯電話機を図３に示す矢印Ａの方向から視た図である。
【００１５】
始めに、携帯電話機用クレイドル１０に装着される携帯電話機５０について説明する。図３及び図４を参照するに、携帯電話機５０は、ヒンジ部５３から延在する携帯電話機本体部５１と、ヒンジ部５３を中心に回動可能とされた携帯電話機可動部５２とを有する。
【００１６】
携帯電話機本体部５１は、操作キー５４と、マイク５５と、充電用コネクタ５６と、一対の充電用端子５８Ａ，５８Ｂ等を有する。操作キー５４及びマイク５５は、携帯電話機本体部５１の内面５１Ａに設けられている。充電用コネクタ５６は、携帯電話機可動部５２が接続された側とは反対側の携帯電話機本体部５１の側面５１Ｃに設けられている。充電用コネクタ５６は、外部から携帯電話機５０に電力を供給するためのコネクタである。
【００１７】
一対の充電用端子５８Ａ，５８Ｂは、充電用コネクタ５６の両側に位置する側面５１Ｃに設けられている。一対の充電用端子５８Ａ，５８Ｂは、外部から携帯電話機５０に電力を供給する際に使用される端子である。
【００１８】
また、ヒンジ部５３近傍に位置する携帯電話機本体部５１の側面５１Ｃには、凹部５９が形成されている。この凹部５９は、通常、専用クレイドル（図示せず）と携帯電話機５０とを固定する際に使用する係合用の凹部である。専用クレイドルは、パワーアダプターと接続される従来のクレイドルであり、本実施の形態の携帯電話機用クレイドル１０とは異なる。なお、クレイドルとは、携帯電話機５０を充電する際に使用される充電ケース等を含む受話器台のことである。
【００１９】
携帯電話機可動部５２は、表示部６１と、スピーカ６２等を有する。表示部６１及びスピーカ６２は、携帯電話機可動部５２の内面５２Ａに設けられている。携帯電話機５０は、携帯電話機用クレイドル１０に装着された状態で、携帯電話機本体部５１の内面５１Ａと携帯電話機可動部５２の内面５２Ａが対峙するように折り畳むことができる。また、携帯電話機可動部５２を開いた位置にして、表示部６１を見ながら操作キー５４を押して操作することができ、あるいは、携帯電話機用クレイドル１０を把持して、通常の携帯電話機のように通話することができる。
【００２０】
図５は本実施の形態に係る携帯電話機用クレイドルの斜視図であり、図６はクレイドル本体から携帯電話機保持部を取り外した様子を示す図であり、図７は携帯電話機用クレイドルの断面図である。
【００２１】
図５〜図７を参照するに、携帯電話機用クレイドル１０は、クレイドル本体１１と、クレイドル本体１１上に設けられ、携帯電話機５０を保持する携帯電話機保持部１２とから構成される。
【００２２】
クレイドル本体１１は、燃料電池１４、燃料タンク１５、及び回路部１６を内蔵しており、クレイドル本体１１の側面に燃料補給口１７を有する。燃料電池１４は、携帯電話機５０に供給する電力を発電するための電力源である。燃料電池１４は、例えば、ダイレクトメタノール型の燃料電池を用いることができる。以下、燃料電池１４としてダイレクトメタノール型の燃料電池を用いた場合を例に挙げて説明する。
【００２３】
燃料電池１４は、クレイドル本体１１の中央付近に設けられており、携帯電話機保持部１２側に設けられた燃料室２１と、燃料室２１の下面側に設けられた燃料電池セル２２とから構成される。燃料電池セル２２は、燃料室２１の下面側から燃料極２３／固体電解質膜２４／空気極２５を順次積層した構成とされる。
【００２４】
燃料極２３及び空気極２５は、それぞれ配線２７を介して回路部１６と接続されており、発電により生じた電力は回路部１６に供給される。
【００２５】
燃料極２３及び空気極２５は、ステンレスなど耐食性の高い合金のメッシュからなる集電体と、ＰｔやＰｔ−Ｒｕ合金微粒子からなる厚さ５０μｍ〜３００μｍ程度の触媒層が塗布されたカーボンペーパが積層されたもので、触媒層は固体電解質膜２４に接している。固体電解質膜２４はプロトン導電性の高分子材料よりなり、例えば、デュポン社製のナフィオンＮ−１２１（商品名）等を用いることができる。燃料極２３側では燃料室２１から燃料であるメタノール水溶液（例えば、メタノール１０ｖｏｌ％水溶液）、或いは気化したメタノールが供給され、触媒層の触媒表面でＣＨ3ＯＨ＋Ｈ2Ｏ→ＣＯ2＋６Ｈ+＋６ｅ−の反応が生じる。発生したプロトンは固体電解質膜２４を伝導し、電子は回路部及び負荷を介して、空気極２５に到達する。空気極２５側には空気中の酸素が供給され、触媒層の触媒表面で、３／２Ｏ2＋６Ｈ+＋６ｅ−→３Ｈ2Ｏの反応を生じる。
【００２６】
空気極２５と対向するクレイドル本体部１１の外面１１Ｂには、多数の開口部を設けることが好ましい。例えば、図７に示すように、外面１１Ｂに多数の円形の開口部２６を設ける。この開口部２６から取り入れられた空気中の酸素が空気極２５での反応に寄与する。
【００２７】
燃料タンク１５は、図７において燃料電池１４の右側に配置されており、燃料導入経路２８により燃料室２１と接続されている。燃料タンク１５は、燃料のメタノール水溶液を溜めるためのタンクであり、燃料導入経路２８を介して燃料タンク１５から燃料室２１にメタノール水溶液が供給される。
【００２８】
燃料補給口１７は、クレイドル本体部１１の側面に設けられており、燃料導入経路２９により燃料タンク１５と接続されている。燃料補給口１７は、外部から燃料タンク１５に燃料であるメタノール水溶液を供給するためのものである。
【００２９】
なお、燃料電池１４の代わりに電力源として乾電池等の一次電池や、充電が可能な二次電池を用いてもよい。一次電池は、例えば、アルカリ乾電池、空気亜鉛電池、マンガン乾電池、リチウム一次電池、酸化銀電池、オキシライド電池、空気亜鉛電池等を用いることができる。また、二次電池は、例えば、アルカリ蓄電池やリチウム二次電池等を用いることができる。
【００３０】
また、燃料電池１４としては、公知のダイレクトメタノール型の燃料電池を用いることができる。燃料電池１４としてダイレクトメタノール型の燃料電池を用いた場合、ダイレクトメタノール型の燃料電池は、一次電池や二次電池と比較して薄型なので、クレイドル本体１１を薄型化することができる。
【００３１】
回路部１６は、図７において燃料電池１４の左側に位置するクレイドル本体１１に設けられている。回路部１６は、配線２７，３１と接続されており、配線３１を介して接続部２０と電気的に接続されている。回路部１６は、例えば、昇圧回路や保護回路等を有してもよい。
【００３２】
保護回路は、携帯電話機５０の充電が完了した際、携帯電話機５０への電力の供給を停止させる。これにより、メタノールが無駄に消費されることを抑制できる。
【００３３】
また、昇圧回路は、例えば、燃料電池１４から供給される電力の電圧を携帯電話機５０に必要な電源電圧まで高める。
【００３４】
クレイドル本体１１は、回路部１６の上方に位置するクレイドル本体１１に設けられた回動部１９と、接続部２０とをさらに有する。回動部１９は、クレイドル本体１１に対して回動可能に設けられている。
【００３５】
接続部２０は、回動部１９に設けられており、回動部１９と一体的に回動する。接続部２０は、携帯電話機５０の充電用コネクタ５６と接続されることで、燃料電池１４から発生した電力を携帯電話機５０に供給する。
【００３６】
このように、回動部１９に接続部２０を設けることにより、回動部１９を回転させて、水平方向を向いた状態（図７参照）の接続部２０が斜め上方を向くようにして、接続部２０に携帯電話機５０の充電用コネクタ５６を容易に装着させることができる（図８参照）。
【００３７】
クレイドル本体１１は、クレイドル本体部１１の回路部１６側の外面１１Ｂに形成される凹部３４と、燃料補給口１７側に位置するクレイドル本体部１１の内面１１Ａに形成される爪部３５とをさらに有する。凹部３４及び爪部３５は、携帯電話機保持部１２と係合されるものであり、携帯電話機保持部１２とクレイドル本体部１１との係合については後述する。
【００３８】
携帯電話機保持部１２は、爪部４１と、凹部４２と、携帯電話機係止部４３とを有する。爪部４１は、回路部１６が内蔵された側のクレイドル本体１１に当接される携帯電話機保持部１２の外面１２Ｂに形成される。爪部４１は、携帯電話機保持部１２の凹部３４と係合される。なお、外面１２Ｂとは、クレイドル本体１１と接触する側の携帯電話機保持部１２の面である。
【００３９】
凹部４２は、燃料タンク１５が内蔵された側のクレイドル本体１１に当接される携帯電話機保持部１２の外面１２Ｂに形成される。凹部４２は、携帯電話機保持部１２の爪部３５と係合される。爪部４１及び凹部４２は、携帯電話機保持部１２をクレイドル本体１１に対して着脱可能とするためのものである。
【００４０】
クレイドル本体部１１への携帯電話機保持部１２の装着は、例えば、携帯電話機保持部１２に形成された凹部４２とクレイドル本体部１１に形成された爪部３５とを係合させた後、爪部４１が形成された部分の携帯電話機保持部１２をクレイドル本体部１１に押し当てて、爪部４１とクレイドル本体１１に形成された凹部３４とを係合させることで行なう。
【００４１】
また、クレイドル本体部１１から携帯電話機保持部１２を取り外す場合は、例えば、爪部４１が形成された部分の携帯電話機保持部１２をクレイドル本体部１１から離間するよう斜め上方に引っ張ることで行なう。
【００４２】
このように、クレイドル本体部１１に凹部３４及び爪部３５を設け、携帯電話機保持部１２に凹部３４と係合される爪部４１と、爪部３５と係合される凹部４２とを設けることにより、クレイドル本体部１１に対して携帯電話機保持部１２を容易に着脱することができる。なお、クレイドル本体部１１に携帯電話機保持部１２を装着するための凹部及び爪部の形成位置及び形状は、上記凹部３４，４２及び爪部３５，４１の位置及び形状に限定されない。また、携帯電話機保持部１２は、クレイドル本体部１１に対して着脱可能であればよく、上記構成に限定されない。クレイドル本体部１１に対して携帯電話機保持部１２を着脱可能にする他の手段としては、例えば、ネジによる締結が挙げられる。
【００４３】
携帯電話機係止部４３は、突出部４３Ａを有しており、凹部４２の近傍に位置する携帯電話機保持部１２の内面１２Ａに携帯電話機保持部１２と一体的に設けられている。突出部４３Ａは、携帯電話機保持部１２に携帯電話機５０を装着した際、携帯電話機本体部５１の凹部５９と係止される。
【００４４】
このように携帯電話機係止部４３の突出部４３Ａと凹部５９とを係止させることにより、接続部２０と接続されていない側の携帯電話機本体部５１の端部が固定され、携帯電話機５０を携帯電話機用クレイドル１０に装着することができる。なお、携帯電話機保持部１２の側面部１２Ｃ−１，１２Ｃ−２に携帯電話機係止部４３を設けて、携帯電話機５０を携帯電話機保持部１２に装着してもよい。
【００４５】
次に、携帯電話機５０を保持する携帯電話機保持部１２の内面１２Ａの形状について説明する。
【００４６】
携帯電話機保持部１２は、その内面１２Ａにより、接続部２０と接続された携帯電話機本体部５１を保持するためのものである。ところで、市販されている携帯電話機５０は、平板形状や楕円形状等、様々な形状のものがある。携帯電話機保持部１２は、このような様々な形状の携帯電話機５０に対応するため複数用意されており、複数の携帯電話機保持部１２の内面１２Ａの形状は、特定の携帯電話機５０の形状に対応している。携帯電話機保持部１２の内面１２Ａの形状は、携帯電話機本体部５１の外面５１Ｂ（内面５１Ａの反対側の面）及び側面５１Ｃの形状に対応している。携帯電話機保持部１２は、携帯電話機本体部５１の外面５１Ｂ（内面５１Ａの反対側の面）及び側面５１Ｃを覆うように携帯電話機５０を保持する。
【００４７】
このように、携帯電話機本体部５１の外面５１Ｂ及び側面５１Ｃの形状に対応する携帯電話機保持器１２により携帯電話機５０を保持することで、携帯電話機５０と携帯電話機用クレイドル１０の接続部分の破損を防止できる。
【００４８】
また、携帯電話機保持器１２をクレイドル本体部１１に対して着脱可能なため、複数の携帯電話機保持部１２を用意し、複数の携帯電話機保持部１２の内面１２Ａの形状を特定の携帯電話機５０の形状に対応させ、携帯電話機５０の形状に応じて携帯電話機保持部１２を交換して、様々な形状の携帯電話機５０に対してクレイドル本体部１１を共用することができる。
【００４９】
携帯電話機保持部１２は、さらに爪部４１と凹部４２とを有する。爪部４１は、クレイドル本体部１１の外面１１Ｂと接触する外面１２Ｂに設けられており、クレイドル本体部１１に設けられた凹部３４と係合される。凹部４２は、クレイドル本体部１１の内面１１Ａと接触する外面１２Ｂに設けられており、クレイドル本体部１１に設けられた爪部３５と係合される。
【００５０】
このように、クレイドル本体部１１に凹部３４及び爪部３５を設け、携帯電話機保持部１２に凹部３４と係合される爪部４１と、爪部３５と係合される凹部４２とを設けることにより、クレイドル本体部１１に対して携帯電話機保持部１２を容易に着脱することができる。
【００５１】
次に、図８及び図９を参照して、本実施の形態の携帯電話機用クレイドル１０への携帯電話機５０の装着方法及び取り外し方法について説明する。
【００５２】
図８は、本実施の形態に係る携帯電話機用クレイドルに携帯電話機の接続部を接続した様子を示す図であり、図９は、本実施の形態に係る携帯電話機用クレイドルに携帯電話機が装着された様子を示す図である。
【００５３】
携帯電話機用クレイドル１０に携帯電話機５０を装着する場合には、始めに、接続部２０が斜め上方を向くように回動部１９を回転させて、携帯電話機５０の充電用コネクタ５６を接続部２０に接続する。次いで充電用コネクタ５６と接続端子２０とが接続された状態で、携帯電話機５０を携帯電話機保持部１２に押し当てて、携帯電話機本体部５１の凹部５９と突出部４３Ａとを係止させる。これにより、携帯電話機５０は、携帯電話機用クレイドル１０に装着され、携帯電話機本体部５１の外面５１Ｂ及び側面５１Ｃ（図示せず）と携帯電話機保持部１２の内面１２Ａとが接触する。
【００５４】
図２に示すように、携帯電話機用クレイドル１０は、携帯電話機５０を開いた状態で保持することが可能である。また、携帯電話機用クレイドル１０を用いることにより、充電中でも携帯電話機５０を使用することができる。
【００５５】
携帯電話機用クレイドル１０から携帯電話機５０の取り外す場合には、携帯電話機係止部４３側の携帯電話機本体部５１を上方に持ち上げて、凹部５９と突出部４３Ａとの係止を解除して、接続部２０から携帯電話機５０の充電用コネクタ５６を引き抜く。
【００５６】
本実施の形態の携帯電話機用クレイドル１０によれば、接続部２０と接続された携帯電話機本体部５１の外面５１Ｂ及び側面５１Ｃを覆うように携帯電話機５０を保持するため、携帯電話機５０と携帯電話機用クレイドル１０との接続部分（具体的には、接続部２０及び充電用コネクタ５６）の破損を防止できる。また、複数の携帯電話機保持部１２を用意し、複数の携帯電話機保持部１２の内面１２Ａの形状を特定の携帯電話機５０の形状にそれぞれ対応させ、携帯電話機５０の形状に応じて携帯電話機保持部１２を交換して、様々な形状の携帯電話機５０に対してクレイドル本体部１１を共用することができる。
【００５７】
なお、燃料室２１の上面側に燃料電池セルをさらに設けてもよい。この燃料電池セルは、燃料室２１の上面側から燃料極／固体電解質膜／空気極を順次積層した構成とする。この場合は、空気極上に位置する携帯電話機保持部１２の内面１２Ａに酸素を空気極に導入するための開口部を設けるとよい。
【００５８】
（第２の実施の形態）
図１０は第２の実施の形態に係る携帯電話機用クレイドルの斜視図であり、図１１はクレイドル本体から携帯電話機保持部を取り外した様子を示す図である。図中、先に説明した第１の実施の形態の携帯電話機用クレイドルと同一構成部分には同一の符号を付し、説明を省略する。
【００５９】
図１０及び図１１を参照するに、本実施の形態に係る携帯電話機用クレイドル７０は、クレイドル本体７１と、クレイドル本体７１に対して着脱可能な携帯電話機保持部７２とを有しており、携帯電話機保持部７２に回動部１９、接続部２０、コネクタ７５、及び接続部２０とコネクタ７５との間を接続する配線３１Ｂを設け、クレイドル本体７１にコネクタ７５と係合されるコネクタ７６、及びコネクタ７６と回路部１６との間を接続する配線３１Ａを設けた以外は、第１の実施の形態の携帯電話機用クレイドルと同様に構成される。なお、携帯電話機保持部７２は、第１の実施の形態の携帯電話機保持部と同様に複数用意され、複数の携帯電話機保持部７２の内面１２Ａの形状は、特定の携帯電話機５０の形状に対応している。
【００６０】
回動部１９は、携帯電話機係止部４３が設けられた側とは反対側の携帯電話機保持部７２に設けられている。回動部１９は、携帯電話機保持部７２に対して回動可能に構成される。接続部２０は、携帯電話機係止部４３と対向する携帯電話機保持部７２に設けられている。携帯電話機保持部７２とクレイドル本体７１とを装着した際、コネクタ７５とコネクタ７６とが接続される。
【００６１】
本実施の形態の携帯電話機用クレイドル７０によれば、クレイドル本体７１に対して着脱可能な携帯電話機保持部７２に接続部２０を設けることにより、それぞれの携帯電話機５０の充電用コネクタ５６の形状に対応するよう接続部２０の形状を変更して、接続部２０と充電用コネクタ５６との間の接続信頼性を向上させることができる。また、充電用コネクタ５６の代わりに、携帯電話機５０の充電用端子５８Ａ，５８Ｂの形状に対応するよう接続部２０の形状を変更し、充電用端子５８Ａ，５８Ｂと接続部２０とを接続させて、充電用端子５８Ａ，５８Ｂから電力を充電させることができる。
【００６２】
なお、本実施の形態では、接続部２０を回動部１９に設けた例を示したが、接続部２０を携帯電話機保持部７２に固定し、回動部１９を接続部２０と対向する携帯電話機保持部７２に設け、この回動部１９に携帯電話機係止部４３を設けてもよい。また、燃料室２１の上面側に、第１の実施の形態においての説明と同様に燃料電池セルをさらに設けてもよい。
【００６３】
以上本発明の好ましい実施の形態について詳述したが、本発明は係る特定の実施の形態に限定されるものではなく、特許請求の範囲に記載された本発明の範囲内において、種々の変形・変更が可能である。例えば、第１および第２の実施の形態では、折り畳み式の携帯電話機５０を装着する携帯電話機用クレイドル１０を例に示したが、折り畳み式以外の携帯電話機、例えばストレートタイプの携帯電話機についても本発明の携帯電話機用クレイドルを適用することができる。
【００６４】
なお、以上の説明に関して更に以下の付記を開示する。
（付記１）  携帯電話機に装着して、該携帯電話機に電力を供給する携帯電話機用クレイドルであって、
電力を発生する電力源と、前記携帯電話機及び電力源の各々と電気的に接続され、電力源から携帯電話機に電力を供給する接続部とを有するクレイドル本体と、
前記携帯電話機を保持する携帯電話機保持部とを備え、
前記携帯電話機保持部は、携帯電話機の形状に対応する形状を有し、かつクレイドル本体に対して着脱可能であることを特徴とする携帯電話機用クレイドル。
（付記２）  前記クレイドル本体は、該クレイドル本体に対して回動する回動部を更に備え、
前記接続部は、回動部に設けられてなることを特徴とする付記１記載の携帯電話機用クレイドル。
（付記３）  携帯電話機に装着して、該携帯電話機に電力を供給する携帯電話機用クレイドルであって、
電力を発生する電力源を有するクレイドル本体と、
前記携帯電話機を保持すると共に、携帯電話機及び電力源の各々と電気的に接続され、電力源から携帯電話機に電力を供給する接続部を有する携帯電話機保持部とを備え、
前記携帯電話機保持部は、携帯電話機の形状に対応する形状を有し、クレイドル本体に対して着脱可能であることを特徴とする携帯電話機用クレイドル。
（付記４）  前記携帯電話機保持部は、該携帯電話機保持部に対して回動する回動部を更に備え、
前記接続部は、回動部に設けられてなることを特徴とする付記３記載の携帯電話機用クレイドル。
（付記５）  前記携帯電話機保持部は、前記携帯電話機の操作面とは反対側の面と、携帯電話機の側面とを覆うことを特徴とする付記１〜４のうち、いずれか一項記載の携帯電話機用クレイドル。
（付記６）  前記接続部と対向する携帯電話機保持部に携帯電話機を係止する携帯電話機係止手段を設けることを特徴とする付記１〜５のうち、いずれか一項記載の携帯電話機用クレイドル。
（付記７）  前記接続部は、携帯電話機の充電用コネクタと接続されることを特徴とする付記１〜６のうち、いずれか一項記載の携帯電話機用クレイドル。
（付記８）  前記クレイドル本体は、第１の係合部を備え、
前記携帯電話機保持部は、第１の係合部と係合される第２の係合部を備えることを特徴とする付記１〜７のうち、いずれか一項記載の携帯電話機用クレイドル。
（付記９）  前記携帯電話機係止手段は、携帯電話機保持部に対して回動することを特徴とする付記１〜８のうち、いずれか一項記載の携帯電話機用クレイドル。
（付記１０）  前記電力源は、ダイレクトメタノール型の燃料電池であることを特徴とする付記１〜９のうち、いずれか一項記載の携帯電話機用クレイドル。
（付記１１）前記燃料電池は、燃料室と、該燃料室側から燃料極、電解質膜、及び空気極が順次積層された燃料電池セルとよりなり、
前記空気極と対向するクレイドル本体及び／または携帯電話機保持部に空気極を露出する開口部を設けることを特徴とする付記１０記載の携帯電話機用クレイドル。
【図面の簡単な説明】
【００６５】
【図１】従来の充電器の断面図である。
【図２】本発明の第１の実施の形態に係る携帯電話機用クレイドルに携帯電話機を装着した様子を示す斜視図である。
【図３】携帯電話機の斜視図である。
【図４】折り畳んだ状態の携帯電話機を図３に示す矢印Ａの方向から視た図である。
【図５】本実施の形態に係る携帯電話機用クレイドルの斜視図である。
【図６】クレイドル本体から携帯電話機保持部を取り外した様子を示す図である。
【図７】携帯電話機用クレイドルの断面図である。
【図８】本実施の形態に係る携帯電話機用クレイドルに携帯電話機の接続部を接続した様子を示す図である。
【図９】本実施の形態に係る携帯電話機用クレイドルに携帯電話機が装着された様子を示す図である。
【図１０】第２の実施の形態に係る携帯電話機用クレイドルの斜視図である。
【図１１】クレイドル本体から携帯電話機保持部を取り外した様子を示す図である。
【符号の説明】
【００６６】
１０，７０  携帯電話機用クレイドル
１１，７１  クレイドル本体
１１Ａ，１２Ａ，５１Ａ，５２Ａ  内面
１１Ｂ，１２Ｂ  外面
１２，７２  携帯電話機保持部
１２Ｃ−１，１２Ｃ−２  側面部
１４  燃料電池
１５  燃料タンク
１６  回路部
１７  燃料補給口
１９  回動部
２０  接続部
２１  燃料室
２２  燃料電池セル
２３  燃料極
２４  固体電解質膜
２５  空気極
２６  開口部
２７，３１，３１Ａ，３１Ｂ  配線
２８，２９  燃料導入経路
５３  ヒンジ部
３４，４２  凹部
３５，４１  爪部
４３  携帯電話機係止部
４３Ａ  突出部
５０  携帯電話機
５１  携帯電話機本体部
５１Ｃ  側面
５２  携帯電話機可動部
５４  操作キー
５５  マイク
５６  充電用コネクタ
５８Ａ，５８Ｂ  充電用端子
５９  凹部
６１  表示部
６２  スピーカ
７５，７６  コネクタ
【図１】
2006303994.tif 000003
【図２】
2006303994.tif 000004
【図３】
2006303994.tif 000005
【図４】
2006303994.tif 000006
【図５】
2006303994.tif 000007
【図６】
2006303994.tif 000008
【図７】
2006303994.tif 000009
【図８】
2006303994.tif 000010
【図９】
2006303994.tif 000011
【図１０】
2006303994.tif 000012
【図１１】
2006303994.tif 000013